(57)【特許請求の範囲】
【請求項１】
複数の切り込みにより分割された保持片からなる保持部を有する保持部材を備え、前記保持部に物品を下方から挿入して、前記物品が自重で抜け落ちることがないように垂下状態で、前記保持片により前記物品を前記保持部材に保持する物品保持装置であって、
前記保持部材は、互いに積層される複数枚の弾性板で構成され、前記各弾性板には、前記弾性板の積層状態において、隣接する前記弾性板の各保持部が互いに対向する位置に形成されるとともに、前記各弾性板の複数の切り込みの切り込み方向が隣接する弾性板間で互いに回転方向に所定角度ずれていることを特徴とする物品保持装置。
【発明の詳細な説明】
【技術分野】
【０００１】
この発明は、試験管などの物品を起立状態に保持する物品保持装置に関する。
【背景技術】
【０００２】
複数の切り込みにより分割された保持片からなる保持部を有する保持部材を備え、保持部に物品を挿入して保持片により物品を保持する物品保持装置は、広範な技術分野にて知られ、用いられている。例えば、物品を試験管とした場合は、特許文献１に記載のように、保持部材に対して試験管が起立状態に保持される。また、物品をボルトとした場合は、特許文献２に記載のように、保持部材に対してボルトが起立状態に保持される。
【先行技術文献】
【特許文献】
【０００３】
【特許文献１】実開昭６２−５９１３５号公報
【特許文献２】実公平３−１９５３９号公報
【発明の開示】
【発明が解決しようとする課題】
【０００４】
この出願の発明者は、特許文献１、２のような物品保持装置には、つぎの課題があることを見出した。すなわち、保持部材を１枚の弾性板で構成とすると、物品挿入時に物品が垂直に立たなかったりする。また、切り込み数が少ないと、隙間ができたりする。物品が垂直に立たないと、物品により異なるが種々の作業性が悪くなったり、美観を損ねたりする。また隙間ができると、物品挿入部のシール性が悪くなったりする。
【０００５】
この発明が解決しようとする課題は、物品を保持部材に対してより垂直に保持するとともに、物品と保持片との隙間を少なくすることである。
【課題を解決するための手段】
【０００６】
この発明は、前記課題を解決するためになされたもので、請求項１に記載の発明は、複数の切り込みにより分割された保持片からなる保持部を有する保持部材を備え、前記保持部に物品を下方から挿入して、前記物品が自重で抜け落ちることがないように垂下状態で、前記保持片により前記物品を前記保持部材に保持する物品保持装置であって、前記保持部材は、互いに積層される複数枚の弾性板で構成され、前記各弾性板には、前記弾性板の積層状態において、隣接する前記弾性板の各保持部が互いに対向する位置に形成されるとともに、前記各弾性板の複数の切り込みの切り込み方向が隣接する弾性板間で互いに回転方向に所定角度ずれていることを特徴としている。
【０００７】
請求項１に記載の発明によれば、隣接する複数枚の弾性板において回転方向に所定角度ずらせて形成された保持片により前記物品が保持されるので、前記物品をより垂直に保持することができるとともに、前記弾性板との隙間を少なくできる。さらに、１枚の弾性板に多くの保持片を形成するものと比較して、弾性板による前記物品の保持力および弾性板の耐久性を高めることができるという効果を奏する。
【発明の効果】
【０００８】
この発明によれば、物品を保持部材に対してより垂直に保持するとともに、物品と保持片との隙間を少なくすることができるという効果を奏する。
【図面の簡単な説明】
【０００９】
【図１】この発明の実施例１の物品を保持した状態を説明する要部斜視図である。
【図２】同実施例１の構成要素の要部を積層順に上下に並べた平面図である。
【図３】この発明の実施例２の図２に相当する図である。
【発明を実施するための形態】
【００１０】
つぎに、この発明の実施の形態について説明する。この発明の実施の形態は、物品（被保持物）を起立状態で保持する物品保持装置に実施される。
【００１１】
この実施の形態の物品保持装置は、複数の切り込みにより分割された保持片からなる保持部を有する保持部材を備え、前記保持部に物品を挿入して前記保持片により前記物品を前記保持部材に対して起立状態に保持するように構成される。
【００１２】
そして、この実施の形態の特徴とするところは、前記保持部材は、互いに積層される複数枚の弾性板で構成され、前記各弾性板には、前記各弾性板の積層状態において、隣接する前記弾性板の各保持部が互いに対向する位置に形成されるとともに、前記各弾性板の複数の切り込みは、その切り込み方向が隣接する弾性板間で互いに回転方向に所定角度ずれて形成される構成にある。
【００１３】
ここで「所定角度ずれて形成」とは、前記物品を前記切り込みに差し込んだ状態において、前記各弾性板の各保持片が、前記各弾性板の回転方向に隣接する保持片の間に位置するように形成されることを意味し、好ましくは、前記各弾性板の回転方向に隣接する保持片の間の丁度中間に位置するように形成される。
【００１４】
この実施の形態によれば、前記物品を前記切り込みに差し込むと、まず１枚の弾性板の複数の保持片により前記物品が保持される。同時に、隣接する別の弾性板において回転方向に所定角度ずらせて形成された複数の保持片により前記物品が保持される。その結果、１枚の前記弾性板により前記物品を保持するものと比較して、前記物品をより垂直に保持する（以下、「垂直保持機能」という。）ことができる。また、前記切り込みに前記物品を差し込むと、回転方向に隣接する前記保持片の間に隙間ができるが、この隙間の一部が隣接する別の前記弾性板の前記各保持片により塞がれ、前記隙間を少なく（以下、「隙間低減機能」という。）できる。
【００１５】
また、１枚の弾性板に複数枚の弾性板の保持片と同数の保持片を形成することが考えられるが、そうすると保持片による前記物品の保持力が弱くなるとともに、前記物品の挿脱の繰り返し回数が多くなると、前保持片がちぎれてしまう虞がある。この実施の形態によれば、前記弾性板による前記物品の保持力および弾性板の耐久性を高めることができる。
【００１６】
この複数枚の弾性板からなる保持部材において、好ましくは、各弾性板の切込みを十字状の切り込みにより４分割された保持片を備え、前記弾性板の枚数を３枚とする。この場合、前記各弾性板の切り込みの切り込み方向が隣接する弾性板間で互いに回転方向に３０度ずつずらせて形成される。こうした構成の保持部材が、前記弾性板による前記物品の保持力および弾性板の耐久性の観点から最も望ましい。
【００１７】
この実施の形態においては、前記保持部材は、好ましくは、前記弾性板に加えて、前記弾性板の各保持部に対向する位置に前記物品の挿通孔が形成され、積層状態の前記弾性板を上下から挟持する第一補強板および第二補強板を備える。この補強板は、前記弾性板の厚みを変えることで、前記補強板の代わりをさせることができ、前記第一補強板および前記第二補強板のいずれか、または両方を省略することができる。
【００１８】
ここで、この実施の形態の物品保持装置の構成要素を説明する。前記物品は、特定物品に限定されないが、細長い棒状体（中空の管状体のものを含む）が望ましく、前記「垂直保持機能」において効果が大きい。前記棒状体としては、試験管、ボルト，内部に流体が通過する流体通路を有するチューブなどが含まれ、前記切り込みに差し込んだ状態で自らが変形しないものであっても、変形するものであっても良い。
【００１９】
前記保持部材の弾性板は、前記各保持片が弾性変形可能な材料（ブチルゴムやシリコーンゴムなど）にて形成され、用途によっては耐熱性が必要となる。前記各弾性板の弾性の程度は、材質および厚さと切り込みの数を考慮して、前記物品を前記切り込みに差し込んだ状態で、前記物品の自重で抜け落ちることがないように、前記各保持片にて前記物品を保持できるように設計される。なお、前記各弾性板の弾性の程度は、前記物品が前記保持片により押し潰されると問題となる場合は、押し潰されないように設計される。
【００２０】
また前記補強板は、前記物品の保持状態において、前記各弾性板全体が前記物品の重みで変形することを防止することができる板（例えば、ステンレスなどの金属板）にて構成される。
【００２１】
この実施の形態の物品保持装置を乾燥機に適用する場合、前記保持部材を、乾燥室内を熱風が供給される上部空間と下部空間とに画成する仕切り部材として用い、チューブ等の棒状体の内部を熱風が流通可能なように、前記棒状体を前記仕切り部材に保持するように構成することができる。この場合、複数の棒状体を保持させる目的で、前記保持部材に、複数の保持部を設けるとともに、前記棒状体の内部以外にも熱風を通過させる目的で、前記仕切り部材に前記保持部と別に前記上部空間から前記下部空間へ熱風が流れる熱風通過孔を形成することができる。
【実施例１】
【００２２】
この発明の実施例１の物品保持装置１を図面に従い説明する。図１は、この発明の実施例１の物品保持装置１にて物品を保持した状態を説明する要部斜視図であり、図２は、同実施例１の保持部材の構成要素の要部を積層順に上下に並べた平面図である。
【００２３】
この実施例１の物品保持装置１は、保持部材２により棒状体の物品３を起立状態に保持する。保持部材２は、シリコーンゴムからなる２枚の弾性変形可能な第一弾性板４Ａおよび第二弾性板４Ｂと、積層状態の第一弾性板４Ａおよび第二弾性板４Ｂを上下から挟持する図２に示す金属製の第一補強板５Ａおよび第二補強板５Ｂとから構成されている。
【００２４】
第一弾性板４Ａおよび第二弾性板４Ｂは、図１に示すように、物品３をその上端が保持部材２を貫通して起立状態（垂下状態と称することができる。）に保持する保持部６Ａ，６Ｂを形成している。
【００２５】
各保持部６Ａ，６Ｂは、図１および図２に示すように、十字状の切り込み７Ａ，７Ｂにより４分割された保持片８Ａ，８Ｂから構成されている。
【００２６】
そして、各保持部６Ａ，６Ｂは、弾性板４Ａ，４Ｂの積層状態において、互いに対向する位置に形成されている。また、図２に示すように、各弾性板４Ａ，４Ｂの切り込み７Ａ，７Ｂは、その切り込み方向が隣接する弾性板間で互いに回転方向に所定角度Ｘ（この実施例では、４５度）ずらせて（回転させた位置に）形成されている。
【００２７】
また、第一補強板５Ａおよび第二補強板５Ｂには、図２に示すように、積層状態において、各弾性板４Ａ，４Ｂの各保持部６Ａ，６Ｂに対向する位置に物品３の挿通孔９Ａ，９Ｂを形成している。各補強板５Ａ，５Ｂに形成した挿通孔９Ａ，９Ｂの半径（第一径）は、切り込みの中心Ｏから根本Ｐまでの径（第二径）とほぼ等しくしている。第二補強板５Ｂはその周辺部が支持部材（図示省略）により支持される。
【００２８】
この実施例１における物品３の保持を説明する。以下の説明では、物品３を保持部材２の下方から挿入して保持するように説明しているが、物品３を保持部材２の上方から挿入して保持することも可能である。図１において、保持部材２の下方から第二補強板５Ｂの挿通孔９Ｂを通して、第二弾性板４Ｂの切り込み７Ｂ，第一弾性板４Ａの切り込み７Ａに差し込み、第一補強板５Ａの挿通孔９Ａを挿通して、物品３の上端部を第一補強板５Ａの上方へ突出させる。これにより、物品３から手を離しても、物品３は、それぞれ弾性変形した第一弾性板４Ａの各保持片８Ａおよび第二弾性板４Ｂの各保持片８Ｂが物品３の表面に圧接して、物品３が起立状態に保持される。この場合、１枚の弾性板で物品３を保持する場合と比較して、物品３がより垂直に起立状態に保持されることが実験により確認された。
【００２９】
また、例えば１枚の第二弾性板４Ｂの場合、切り込み７Ｂに物品３を差し込むと、回転方向に隣接する保持片８Ｂの間に隙間ができる。しかしながら、この実施例１によれば、各弾性板４Ａ，４Ｂの切り込み７Ａ，７Ｂの切り込み方向を回転方向に所定角度Ｘずらせているので、図１に示すように、前記隙間の一部が上下に隣接する第一弾性板４Ａの各保持片８Ａにより塞がれ、前記隙間を少なくできる。
【００３０】
さらに、この実施例１においては、第一弾性板４Ａと第二弾性板４Ｂに形成した保持片８Ａ，８Ｂは合計８枚となる。この実施例１によれば、この８枚の保持片を１枚の弾性板に形成したものと比較して、各保持片８Ａ，８Ｂによる物品３の保持力を強くすることができる。また、物品３の挿脱の繰り返し回数を多くした場合、各保持片８Ａ，８Ｂのちぎれを抑制することができる。その結果、各弾性板４Ａ，４Ｂによる物品３の保持力および各弾性板４Ａ，４Ｂの耐久性を高めることができる。
【実施例２】
【００３１】
この発明は、前記実施例１に限定されるものではなく、図３に示す実施例２を含むものである。前記実施例１は、弾性板を第一弾性板４Ａと第二弾性板４Ｂの二枚を積層したものとしているが、この実施例２では、図３に示すように、第一弾性板４Ａ，第二弾性板４Ｂに第三弾性板４Ｃを加えたものとしている点である。
【００３２】
そして、各弾性板４Ａ，４Ｂ，４Ｃの切り込み７Ａ，７Ｂ，７Ｃは、その切り込み方向が上下に隣接する弾性板間で互いに回転方向に所定角度Ｘ（この実施例２では、３０度）ずらせて（回転させた位置に）形成している。その他の構成は、前記実施例１と同様であるので、同じ構成要素には同じ符号を付して、その説明を省略する。
【００３３】
この実施例２のように弾性板を３枚とした方が、弾性板の厚みや材質が同じであれば、弾性板を２枚とした前記実施例１と比較して、物品３の前記「垂直保持機能」において優れている，すなわちより重いものを垂直に保持することができる。また、物品３の重さが同じであれば、実施例２の方がより圧接力が強いので、弾性板を薄くすることができる。さらに、実施例２の方が実施例１よりも前記「隙間低減機能」および耐久性において優れていると考えられる。
【００３４】
この発明は、前記実施例１および前記実施例２に限定されるものではなく、例えば、第一補強板５Ａおよび第二補強板５Ｂは、第一弾性板４Ａおよび第二弾性板４Ｂが撓むことなく物品３を保持できるのであれば、第一補強板５Ａおよび第二補強板５Ｂの両方または、一方を省略することができる。また、各保持部６Ａ，６Ｂは、保持部材２に複数設けることができる。
【符号の説明】
【００３５】
１  物品保持装置
２  保持部材
３  物品
４Ａ，４Ｂ，４Ｃ  弾性板
５Ａ，５Ｂ  補強板
６Ａ，６Ｂ  保持部
７Ａ，７Ｂ，７Ｃ  切り込み
８Ａ，８Ｂ，８Ｃ  保持片
【図１】
0005871114.tif 000002
【図２】
0005871114.tif 000003
【図３】
0005871114.tif 000004